(57)【要約】【課題】本人確認に係る処理の効率を向上させて、ＩＤカードの作成を効率良く迅速に行う。【解決手段】申請人の本人確認を行う本人確認手段（例えば、ＣＰＵ７１）を備え、申請人が本人であると確認された場合に、ＩＤカードを作成するＩＤカード作成システム１００である。申請人の本人確認に用いられる旧顔画像データを記憶するファイルサーバ３を備える。申請人の顔画像を撮影するカメラ７８を備える。カメラ７８による申請人の顔画像の撮影の前に、当該申請人の旧顔画像データをファイルサーバ３から取得して記憶する顔画像サーバ８を備える。顔画像サーバ８から旧顔画像データを取得する確認用顔画像取得手段（例えば、ＣＰＵ７１）を備える。撮影装置７は、顔画像サーバ８から旧顔画像データを取得して、取得された旧顔画像データと新顔画像データとを照合して申請人の本人確認を行う。【選択図】図１
2005153491.tif 000002
【特許請求の範囲】
【請求項１】
ＩＤカードの作成を申請する申請人の本人確認を行う本人確認手段を備え、前記本人確認手段により申請人が本人であると確認された場合に、ＩＤカードを作成するＩＤカード作成システムにおいて、
前記本人確認手段による申請人の本人確認に用いられる本人確認用顔画像を記憶するファイルサーバと、
申請人の顔画像を撮影する顔画像撮影手段と、
前記顔画像撮影手段による申請人の前記顔画像の撮影の前に、当該申請人の前記本人確認用顔画像を前記ファイルサーバから取得して記憶する顔画像記憶手段と、
前記顔画像記憶手段から前記本人確認用顔画像を取得する確認用顔画像取得手段と、を備え、
前記本人確認手段は、前記確認用顔画像取得手段により取得された前記本人確認用顔画像と前記顔画像撮影手段により撮影された前記顔画像とを照合して申請人の本人確認を行うことを特徴とするＩＤカード作成システム。
【請求項２】
申請人の識別情報を入力する識別情報入力手段を備え、
前記ファイルサーバは、前記識別情報と対応付けて前記本人確認用画像を記憶し、
前記顔画像記憶手段は、前記識別情報入力手段により入力された前記識別情報に基づいて、当該識別情報と対応する前記本人確認用顔画像を前記ファイルサーバから取得して前記識別情報と対応付けて記憶し、
前記確認用顔画像取得手段は、前記識別情報入力手段により入力された前記識別情報と対応する前記本人確認用顔画像を前記顔画像記憶手段から取得することを特徴とする請求項１に記載のＩＤカード作成システム。
【請求項３】
前記識別情報入力手段と接続されたホスト装置を備え、
前記ホスト装置は、
前記識別情報入力手段により入力された前記識別情報を取得する識別情報取得手段と、
前記識別情報取得手段により取得された前記識別情報に基づいて、ＩＤカードを作成しても良いか否かを判断するカード作成判断手段と、
前記カード作成判断手段によりＩＤカードを作成しても良いと判断された場合に、当該ＩＤカードの作成許可を指示する作成許可指示情報を出力する指示情報出力手段と、を備えることを特徴とする請求項２に記載のＩＤカード作成システム。
【請求項４】
前記ファイルサーバを複数備え、
前記複数のファイルサーバの中から、前記本人確認用顔画像を前記顔画像記憶手段に取得させるファイルサーバを選択するサーバ選択手段を備えることを特徴とする請求項１〜３の何れか一項に記載のＩＤカード作成システム。
【請求項５】
前記ファイルサーバを複数備え、
前記複数のファイルサーバの何れかを選択して、選択された前記ファイルサーバに前記顔画像撮影手段により撮影された前記顔画像を記憶させる記憶制御手段を備えることを特徴とする請求項１〜３の何れか一項に記載のＩＤカード作成システム。
【請求項６】
前記ファイルサーバを複数備え、
前記顔画像撮影手段により撮影された前記顔画像を取得する顔画像取得手段と、
前記複数のファイルサーバの何れかを選択して、選択された前記ファイルサーバに前記顔画像取得手段により取得された前記顔画像を記憶させる記憶制御手段と、を有するサーバコントローラを備えることを特徴とする請求項１〜３の何れか一項に記載のＩＤカード作成システム。
【請求項７】
ＩＤカードの作成を申請する申請人の顔画像を撮影する顔画像撮影工程と、
前記顔画像撮影工程の前に、ファイルサーバから申請人の本人確認に用いられる本人確認用顔画像を取得して顔画像サーバに記憶する顔画像記憶工程と、
前記顔画像サーバから前記本人確認用顔画像を取得する確認用顔画像取得工程と、
前記確認用顔画像取得工程にて取得された前記本人確認用顔画像と前記顔画像撮影工程にて撮影された前記顔画像とを照合して申請人の本人確認を行う本人確認工程と、を備え、
前記本人確認工程にて申請人が本人であると確認された場合に、ＩＤカードを作成するＩＤカード作成方法。
【請求項８】
申請人の識別情報を入力する識別情報入力工程を備え、
前記ファイルサーバは、前記識別情報と対応付けて前記本人確認用画像を記憶し、
前記顔画像記憶工程は、前記識別情報入力工程にて入力された前記識別情報に基づいて、当該識別情報と対応する前記本人確認用顔画像を前記ファイルサーバから取得して前記識別情報と対応付けて前記顔画像サーバに記憶し、
前記確認用顔画像取得工程は、前記識別情報入力工程にて入力された前記識別情報と対応する前記本人確認用顔画像を前記顔画像サーバから取得することを特徴とする請求項８に記載のＩＤカード作成方法。
【発明の詳細な説明】
【技術分野】
【０００１】
本発明は、社員証や各種免許証等のＩＤカードを作成するＩＤカード作成システム及びＩＤカード作成方法に関する。
【背景技術】
【０００２】
従来より、社員証、自動車免許証等の免許証類、身分証明書、パスポート、外国人登録証、図書館利用カード、キャッシュカード、クレジットカード、従業者証、会員証、医療カード及び学生証等のＩＤカードには、本人の顔画像や、氏名、住所及び個人識別番号等のＩＤ情報を記録するようになっている。
そして、上記のようなＩＤカードを作成するシステムとして、本人の顔画像をビデオカメラ等で撮影することで得られた顔画像データと、入力された氏名、住所及び個人識別番号等のＩＤデータとに基づいて、ＩＤカードをプリンタに作成させるシステムが知られている。
【０００３】
また、近年では、上記の顔画像データ及びＩＤデータをファイルサーバ等の所定の記憶装置に記憶しておき、ＩＤカードの再発行や更新等の手続きにおいて利用するＩＤカード作成システムも開発されている（例えば、特許文献１参照。）。
【特許文献１】特開平６−１８０７５１号公報
【発明の開示】
【発明が解決しようとする課題】
【０００４】
ところで、上記特許文献１におけるＩＤカードの更新手続きにおいては、前回撮影され記憶装置に記憶された顔画像と今回撮影された顔画像とを照合し、その結果、本人と確認された場合に、ＩＤカードの更新を行うようになっている。しかしながら、前回撮影された顔画像データの読み出しや顔画像の照合の処理等に時間がかかると、ＩＤカードの作成を効率良く迅速に行うことが困難になるといった問題がある。
【０００５】
本発明の課題は、本人確認に係る処理の効率を向上させることができ、これにより、ＩＤカードの作成を効率良く迅速に行うことができるＩＤカード作成システム及びＩＤカード作成方法を提供することである。
【課題を解決するための手段】
【０００６】
請求項１に記載の発明は、ＩＤカードの作成を申請する申請人の本人確認を行う本人確認手段を備え、前記本人確認手段により申請人が本人であると確認された場合に、ＩＤカードを作成するＩＤカード作成システムにおいて、
前記本人確認手段による申請人の本人確認に用いられる本人確認用顔画像を記憶するファイルサーバと、
申請人の顔画像を撮影する顔画像撮影手段と、
前記顔画像撮影手段による申請人の前記顔画像の撮影の前に、当該申請人の前記本人確認用顔画像を前記ファイルサーバから取得して記憶する顔画像記憶手段と、
前記顔画像記憶手段から前記本人確認用顔画像を取得する確認用顔画像取得手段と、を備え、
前記本人確認手段は、前記確認用顔画像取得手段により取得された前記本人確認用顔画像と前記顔画像撮影手段により撮影された前記顔画像とを照合して申請人の本人確認を行うことを特徴としている。
【０００７】
請求項１に記載の発明によれば、申請人の顔画像の撮影の前に、当該申請人の本人確認用顔画像をファイルサーバから取得して顔画像記憶手段に記憶しておくので、申請人の本人確認の際に、本人確認用顔画像をファイルサーバから取得する場合に比べて、確認用顔画像取得手段による顔画像記憶手段からの本人確認用顔画像の取得を迅速に行うことができる。よって、取得された本人確認用顔画像と撮影された顔画像とを照合して申請人の本人確認を迅速に行うことができる。このように、本人確認に係る処理の効率を向上させることができ、これにより、ＩＤカードの作成を効率良く迅速に行うことができる。
【０００８】
請求項２に記載の発明は、請求項１に記載のＩＤカード作成システムにおいて、
申請人の識別情報を入力する識別情報入力手段を備え、
前記ファイルサーバは、前記識別情報と対応付けて前記本人確認用画像を記憶し、
前記顔画像記憶手段は、前記識別情報入力手段により入力された前記識別情報に基づいて、当該識別情報と対応する前記本人確認用顔画像を前記ファイルサーバから取得して前記識別情報と対応付けて記憶し、
前記確認用顔画像取得手段は、前記識別情報入力手段により入力された前記識別情報と対応する前記本人確認用顔画像を前記顔画像記憶手段から取得することを特徴としている。
【０００９】
請求項２に記載の発明によれば、請求項１に記載の発明と同様の効果が得られるのは無論のこと、特に、申請人の識別情報の入力に基づいて、当該識別情報と対応する本人確認用顔画像をファイルサーバから取得して識別情報と対応付けて記憶しておくことができるので、識別情報を利用して本人確認用顔画像のファイルサーバからの取得を適正に行うことができる。また、入力された識別情報と対応する本人確認用顔画像を顔画像記憶手段から適正に取得することができる。
【００１０】
請求項３に記載の発明は、請求項２に記載のＩＤカード作成システムにおいて、
前記識別情報入力手段と接続されたホスト装置を備え、
前記ホスト装置は、
前記識別情報入力手段により入力された前記識別情報を取得する識別情報取得手段と、
前記識別情報取得手段により取得された前記識別情報に基づいて、ＩＤカードを作成しても良いか否かを判断するカード作成判断手段と、
前記カード作成判断手段によりＩＤカードを作成しても良いと判断された場合に、当該ＩＤカードの作成許可を指示する作成許可指示情報を出力する指示情報出力手段と、を備えることを特徴としている。
【００１１】
請求項３に記載の発明によれば、請求項２に記載の発明と同様の効果が得られるのは無論のこと、特に、ホスト装置によって、取得された識別情報に基づいて、ＩＤカードを作成しても良いか否かの判断を適正に行うことができる。そして、ＩＤカードを作成しても良いと判断された場合に、ホスト装置により当該ＩＤカードの作成許可の指示を行うことができる。
【００１２】
請求項４に記載の発明は、請求項１〜３の何れか一項に記載のＩＤカード作成システムにおいて、
前記ファイルサーバを複数備え、
前記複数のファイルサーバの中から、前記本人確認用顔画像を前記顔画像記憶手段に取得させるファイルサーバを選択するサーバ選択手段を備えることを特徴としている。
【００１３】
請求項４に記載の発明によれば、請求項１〜３に記載の発明と同様の効果が得られるのは無論のこと、特に、本人確認用顔画像が取得されるファイルサーバを複数のファイルサーバの中から適正に選択することができる。
【００１４】
請求項５に記載の発明は、請求項１〜３の何れか一項に記載のＩＤカード作成システムにおいて、
前記ファイルサーバを複数備え、
前記複数のファイルサーバの何れかを選択して、選択された前記ファイルサーバに前記顔画像撮影手段により撮影された前記顔画像を記憶させる記憶制御手段を備えることを特徴としている。
【００１５】
請求項５に記載の発明によれば、請求項１〜３に記載の発明と同様の効果が得られるのは無論のこと、特に、撮影された顔画像が記憶されるファイルサーバの選択を適正に行うことができる。また、ファイルサーバには、本人確認手段により本人であると確認された申請人の顔画像が記憶されるので、申請人のより新しい顔画像がファイルサーバに記憶された状態となり、記憶された顔画像を次回以降のＩＤカードの作成における申請人の本人確認に利用することで、申請人の本人確認をより適正に行うことができる。
【００１６】
請求項６に記載の発明は、請求項１〜３の何れか一項に記載のＩＤカード作成システムにおいて、
前記ファイルサーバを複数備え、
前記顔画像撮影手段により撮影された前記顔画像を取得する顔画像取得手段と、
前記複数のファイルサーバの何れかを選択して、選択された前記ファイルサーバに前記顔画像取得手段により取得された前記顔画像を記憶させる記憶制御手段と、を有するサーバコントローラを備えることを特徴としている。
【００１７】
請求項６に記載の発明によれば、請求項１〜３に記載の発明と同様の効果が得られるのは無論のこと、特に、サーバコントローラによって、撮影された顔画像が取得され、取得した顔画像が記憶されるファイルサーバの選択を適正に行うことができる。また、ファイルサーバには、本人確認手段により本人であると確認された申請人の顔画像が記憶されるので、申請人のより新しい顔画像がファイルサーバに記憶された状態となり、記憶された顔画像を次回以降のＩＤカードの作成における申請人の本人確認に利用することで、申請人の本人確認をより適正に行うことができる。
【００１８】
請求項７に記載の発明のＩＤカード作成方法は、ＩＤカードの作成を申請する申請人の顔画像を撮影する顔画像撮影工程と、
前記顔画像撮影工程の前に、ファイルサーバから申請人の本人確認に用いられる本人確認用顔画像を取得して顔画像サーバに記憶する顔画像記憶工程と、
前記顔画像サーバから前記本人確認用顔画像を取得する確認用顔画像取得工程と、
前記確認用顔画像取得工程にて取得された前記本人確認用顔画像と前記顔画像撮影工程にて撮影された前記顔画像とを照合して申請人の本人確認を行う本人確認工程と、を備え、
前記本人確認工程にて申請人が本人であると確認された場合に、ＩＤカードを作成する。
【００１９】
請求項７に記載の発明によれば、申請人の顔画像の撮影の前に、当該申請人の本人確認用顔画像をファイルサーバから取得して顔画像サーバに記憶しておくので、申請人の本人確認の際に、本人確認用顔画像をファイルサーバから取得する場合に比べて、顔画像サーバからの本人確認用顔画像の取得を迅速に行うことができる。よって、取得された本人確認用顔画像と撮影された顔画像とを照合して申請人の本人確認を迅速に行うことができる。このように、本人確認に係る処理の効率を向上させることができ、これにより、ＩＤカードの作成を効率良く迅速に行うことができる。
【００２０】
請求項８に記載の発明は、請求項７に記載のＩＤカード作成方法において、  申請人の識別情報を入力する識別情報入力工程を備え、
前記ファイルサーバは、前記識別情報と対応付けて前記本人確認用画像を記憶し、
前記顔画像記憶工程は、前記識別情報入力工程にて入力された前記識別情報に基づいて、当該識別情報と対応する前記本人確認用顔画像を前記ファイルサーバから取得して前記識別情報と対応付けて前記顔画像サーバに記憶し、
前記確認用顔画像取得工程は、前記識別情報入力工程にて入力された前記識別情報と対応する前記本人確認用顔画像を前記顔画像サーバから取得することを特徴としている。
【００２１】
請求項８に記載の発明によれば、請求項７に記載の発明と同様の効果が得られるのは無論のこと、特に、申請人の識別情報の入力に基づいて、当該識別情報と対応する本人確認用顔画像をファイルサーバから取得して識別情報と対応付けて顔画像サーバに記憶しておくことができるので、識別情報を利用して本人確認用顔画像のファイルサーバからの取得を適正に行うことができる。また、入力された識別情報と対応する本人確認用顔画像を顔画像サーバから適正に取得することができる。
【発明の効果】
【００２２】
請求項１に記載の発明によれば、申請人の本人確認の際に、本人確認用顔画像をファイルサーバから取得する場合に比べて、確認用顔画像取得手段による顔画像記憶手段からの本人確認用顔画像の取得を迅速に行うことができる。よって、取得された本人確認用顔画像と撮影された顔画像とを照合して申請人の本人確認を迅速に行うことができる。このように、本人確認に係る処理の効率を向上させることができ、これにより、ＩＤカードの作成を効率良く迅速に行うことができる。
【００２３】
請求項２に記載の発明によれば、識別情報を利用して本人確認用顔画像のファイルサーバからの取得を適正に行うことができる。また、入力された識別情報と対応する本人確認用顔画像を顔画像記憶手段から適正に取得することができる。
【００２４】
請求項３に記載の発明によれば、ホスト装置によって、取得された識別情報に基づいて、ＩＤカードを作成しても良いか否かの判断を適正に行うことができる。そして、ＩＤカードを作成しても良いと判断された場合に、ホスト装置により当該ＩＤカードの作成許可の指示を行うことができる。
【００２５】
請求項４に記載の発明によれば、本人確認用顔画像が取得されるファイルサーバを複数のファイルサーバの中から適正に選択することができる。
【００２６】
請求項５に記載の発明によれば、撮影された顔画像が記憶されるファイルサーバの選択を適正に行うことができる。また、申請人のより新しい顔画像がファイルサーバに記憶された状態となり、記憶された顔画像を次回以降のＩＤカードの作成における申請人の本人確認に利用することで、申請人の本人確認をより適正に行うことができる。
【００２７】
請求項６に記載の発明によれば、サーバコントローラによって、撮影された顔画像が取得され、取得した顔画像が記憶されるファイルサーバの選択を適正に行うことができる。また、申請人のより新しい顔画像がファイルサーバに記憶された状態となり、記憶された顔画像を次回以降のＩＤカードの作成における申請人の本人確認に利用することで、申請人の本人確認をより適正に行うことができる。
【００２８】
請求項７に記載の発明によれば、申請人の本人確認の際に、本人確認用顔画像をファイルサーバから取得する場合に比べて、顔画像サーバからの本人確認用顔画像の取得を迅速に行うことができる。よって、取得された本人確認用顔画像と撮影された顔画像とを照合して申請人の本人確認を迅速に行うことができる。このように、本人確認に係る処理の効率を向上させることができ、これにより、ＩＤカードの作成を効率良く迅速に行うことができる。
【００２９】
請求項８に記載の発明によれば、請求項７に記載の発明と同様の効果が得られるのは無論のこと、特に、識別情報を利用して本人確認用顔画像のファイルサーバからの取得を適正に行うことができる。また、入力された識別情報と対応する本人確認用顔画像を顔画像サーバから適正に取得することができる。
【発明を実施するための最良の形態】
【００３０】
以下に、本発明について、図面を用いて具体的な態様を説明する。ただし、発明の範囲は、図示例に限定されない。
【００３１】
［第一の実施の形態］
図１は、本発明を適用した第一の実施の形態として例示するＩＤカード作成システムの概略構成を示す図である。
第一の実施の形態のＩＤカード作成システム１００においては、主に、会社等の団体に所属する社員のＩＤカード（在職（社員）証明カード等）に添付するための顔画像を撮影する場合を想定してＩＤカード作成システム１００の説明を行うが、それに限らず、所定資格を管理・統括する団体が有するものであっても良い。この場合、ＩＤカード作成システム１００は、有資格者のＩＤカード（免許証明カード等）に添付するための顔画像の撮影、ＩＤ番号（識別情報）によって対応付けられた顔画像とＩＤ情報の管理、顔画像とＩＤ情報を用いたＩＤカードの作成を行うものとする。
また、本実施の形態では、ＩＤカードを更新する場合を想定して説明を行うものとし、ファイルサーバ３には、ＩＤカードの更新に係る申請人の顔画像（以下、「旧顔画像」という。）に係る旧顔画像データがＩＤ番号と対応付けて予め記憶されているものとする。
【００３２】
図１に示すように、ＩＤカード作成システム１００は、本社ホスト１と、Ａ支社ホスト２ａを含む複数の支社ホスト（Ａ支社ホスト２ａのみ図示）とが、例えば公衆回線、電話回線、ＩＳＤＮ回線、無線通信回線、専用線、ＣＡＴＶ回線等を介して所定のネットワークＮにより接続されて構成されている。
【００３３】
ネットワークＮは、任意な時に接続が可能であればよく、常時接続されている必要はない。また、ネットワークＮは、情報管理の信頼性の観点から、特定のユーザのみアクセス可能なセキュリティを確保しているネットワークＮであることが望ましい。或いは、ＩＤカード作成システム１００は、通過する情報を制限するファイアウォール機能を有するプロキシサーバ等を備える構成であっても良い。
【００３４】
本社ホスト１は、例えばパーソナルコンピュータ等により構成され、Ａ支社ホスト２ａを含む全ての支社ホストをネットワークＮを介して一元的に管理するものである。
また、本社ホスト１は、各支社ホストにそれぞれ備えられるデータベース（以下、「ＤＢ」と省略する；図１においてはＡ支社ホスト２ａに備わるＤＢ２０ａのみ図示）に記憶されている所員のＩＤ情報（例えば、氏名、年齢、所属、住所、顔画像、ＩＤ番号）を一括管理するＤＢ１０を備えている。さらに、ＤＢ１０は、社員に関する詳細な社員関連情報（例えば、ペナルティ情報等）を格納している。
【００３５】
以下に、図２を参照して、本社ホスト１についてさらに詳細に説明する。ここで、図２は、本社ホスト１の要部構成を示すブロック図である。
図２に示すように、本社ホスト１は、ＣＰＵ１１と、ＲＡＭ１２と、記憶部１３と、入力部１４と、表示部１５と、通信部１６等を備えている。
【００３６】
ＣＰＵ（Central Processing Unit）１１は、記憶部１３に格納されているプログラムの中から指定されたプログラムを、ＲＡＭ１２内の図示しないワークエリアに展開し、入力部１４や通信部１６から入力されるデータに応じて、所定のプログラムに従った各種処理を実行し、処理結果をＲＡＭ１２内のワークメモリに格納する。また、処理結果を表示するための表示情報を生成して表示部１５に対して出力する。
具体的には、ＣＰＵ１１は、更新受付処理において、識別情報取得手段として、ネットワークＮを介してＡ支社ホスト２ａから送信されたＩＤカード更新（作成）の申請人の更新確認としてのＩＤ番号を受信（取得）する。そして、ＣＰＵ１１は、受信したＩＤ番号に対応する社員に関する詳細な社員関連情報をＤＢ１０から検索して取得する。
また、ＣＰＵ１１は、カード作成判断手段として、カード作成判断プログラム１３ａに従って、取得した社員関連情報に基づいてＩＤカードを更新しても良いか否かを判断する。そして、ＣＰＵ１１は、ＩＤカードを更新しても良いと判断した場合に、指示情報出力手段として、指示情報出力プログラム１３ｂに従って、当該ＩＤカードの更新許可を指示する更新許可情報（作成許可指示情報）を生成して、ＩＤ番号と対応付けてＡ支社ホスト２ａに対して送信する。なお、ＩＤカードの更新が許可されなかった場合には、ＣＰＵ１１は、ＩＤカードの更新の否許可を指示する更新否許可情報を生成して、ＩＤ番号と対応付けてＡ支社ホスト２ａに対して送信する。
【００３７】
ＲＡＭ（Random Access Memory）１２は、ＣＰＵ１１によって実行される各種プログラムやこれら各種プログラムによって処理されたデータ等を一時的に記憶するワークエリアを形成する。
【００３８】
記憶部１３は、読み出し専用のメモリであるＲＯＭ（Read Only Memory）等から構成されており、ＣＰＵ１１により実行される本社ホスト１としての各種の処理に係るアプリケーションプログラムや、当該ＩＤカード作成システム１００に対応する各種処理プログラム、及びプログラムで処理されたデータ等を記憶する。具体的には、記憶部１３は、カード作成判断プログラム１３ａ、指示情報出力プログラム１３ｂ等を記憶している。
なお、プログラムは、コンピュータが読取可能なプログラムコードの形態で格納され、当該プログラムコードに従った動作がＣＰＵ１１の制御下にて逐次実行される。
【００３９】
入力部１４は、文字キー、数字キー及び各種機能キーを備えたキーボードを含み、このキーボードで押下されたキーに対応する押下信号をＣＰＵ１１に出力する。
また、入力部１４は、必要に応じてマウス、タッチパネル等のポインティングデバイスや、その他の入力手段を備える構成としてもよい。
【００４０】
表示部１５は、ＣＲＴ（Cathode Ray Tube）やＬＣＤ（Liquid Crystal Display）等によってなる表示画面を備え、ＣＰＵ１１から出力され入力される表示信号の指示に従って入力部１４、通信部１６を介して送受信される表示データを画面上に表示する。
【００４１】
通信部１６は、ＬＡＮ、ＷＡＮ等のネットワークＮに接続された伝送媒体に接続可能なインターフェイスである。また、通信部１６は、モデム又はターミナルアダプタ等によって構成され、電話回線、ＩＳＤＮ回線、無線通信回線、専用線、ＣＡＴＶ回線等の通信回線を介して外部機器との通信を行うための制御を行う。
【００４２】
次に、支社ホストについて説明する。なお、本実施の形態において、Ａ支社ホスト２ａ以外の支社ホストは、Ａ支社ホスト２ａと同様の構成及び機能を有してなるため、Ａ支社ホスト２ａを代表として詳細な説明を行い、Ａ支社ホスト２ａ以外の支社ホストの図示及び詳細な説明は省略する。
【００４３】
Ａ支社ホスト２ａは、例えばパーソナルコンピュータ等から構成され、Ａ支社に所属する社員に関するＩＤ情報を記録するＤＢ２０ａを備えている。
また、Ａ支社ホスト２ａは、本社ホスト１又は他の支社ホストとの間でネットワークＮを介して情報の送受信を行うとともに、Ａ支社内においてサーバとして機能することにより、ファイルサーバ３、サーバコントローラ４、受付装置５、登録装置６、撮影装置７、顔画像サーバ８、ＩＤカード作成装置９等を接続するイントラネットＬ１を構築する。
【００４４】
ここで、イントラネットＬ１は、サーバと複数のクライアントとを接続して構成され、接続されたサーバ及び複数のクライアント間で情報や資源を共有するための限られたエリア内におけるネットワークである。
なお、イントラネットＬ１には、例えば、送受信されるデータの解析、伝送経路の設定、及び転送を行うルータ等の中継装置の他、所定数のポートを備えるハブ等の集線装置が含まれる。また、イントラネットＬ１においても、情報管理の信頼性の観点から、特定のユーザのみアクセス可能なセキュリティを確保しているネットワークであることが望ましい。
【００４５】
以下に、図３を参照して、Ａ支社ホスト２ａについてさらに詳細に説明する。ここで、図３は、Ａ支社ホスト２ａの要部構成を示すブロック図である。
図３に示すように、Ａ支社ホスト２ａは、ＣＰＵ２１と、ＲＡＭ２２と、記憶部２３と、入力部２４と、表示部２５と、通信部２６等を備えている。
なお、Ａ支社ホスト２ａを構成する各部については、上述した本社ホスト１を構成する各部と略同様の構成によってなるため、対応する各部については、同列の符号を付し、詳細な説明を省略する。
【００４６】
ＣＰＵ２１は、更新受付処理において、イントラネットＬ１を介して受付装置５から、申請人のＩＤ情報の内容に変更がある場合に申請人のＩＤ番号を受信するか、或いは、申請人のＩＤ情報の内容に変更がない場合にＩＤ番号及び変更無情報を受信すると、受信したＩＤ番号をネットワークＮを介して本社ホスト１に送信する。
また、ＣＰＵ２１は、ネットワークＮを介して本社ホスト１から送信された更新許可情報を受信すると、申請人のＩＤ情報の内容に変更がある場合には、受信した更新許可情報をイントラネットＬ１を介して受付装置５に送信する。一方、ＣＰＵ２１は、申請人のＩＤ情報の内容に変更がない場合には、受付装置５からイントラネットＬ１を介して送信され受信したＩＤ番号及び変更無情報に基づいて、ＤＢ２０ａ内にてＩＤ番号に対応するＩＤ情報を検索して、そのＩＤ情報に内容変更が無いことを書き込んだ後（更新する）、更新されたＩＤ番号を含むＩＤ情報及び更新許可情報をイントラネットＬ１を介して受付装置５に送信する。
さらに、ＣＰＵ２１は、申請人のＩＤ情報の内容に変更がある場合に、登録装置６にて変更され当該登録装置６から送信されたＩＤ情報のうちの変更に係る情報を受信すると、受信した情報に基づいて、ＩＤ番号に対応するＩＤ情報をＤＢ２０ａ内にて検索してＩＤ情報を更新する。その後、ＣＰＵ２１は、更新後のＩＤ情報をイントラネットＬ１を介して登録装置６に送信する。
なお、ＣＰＵ２１は、本社ホスト１から送信された更新否許可指示情報を受信すると、受信した更新否許可指示情報をイントラネットＬ１を介して受付装置５に送信するようになっている。
【００４７】
また、ＣＰＵ２１は、ＩＤカード作成処理において、イントラネットＬ１を介して撮影装置７から送信されたＩＤ番号を受信すると、受信したＩＤ番号に対応するＩＤ情報をＤＢ２０ａ内にて検索し、その結果取得したＩＤ情報をＩＤ番号とともにイントラネットＬ１を介して撮影装置７に送信する。
【００４８】
次に、Ａ支社ホスト２ａにより構築されるイントラネットＬ１に接続される各装置について説明を行う。
ここで、図４は、ファイルサーバ３の要部構成を示すブロック図であり、図５は、サーバコントローラ４の要部構成を示すブロック図であり、図６は、受付装置５の要部構成を示すブロック図であり、図７は、登録装置６の要部構成を示すブロック図であり、図８は、撮影装置７の要部構成を示すブロック図であり、図９は、顔画像サーバ８の要部構成を示すブロック図である。
【００４９】
ファイルサーバ３は、複数個（例えば、Ｎ個）設けられており、サーバコントローラ４の制御下にて各種情報の記憶や読み出し等を行うものである。具体的には、各ファイルサーバ３は、図４に示すように、ＣＰＵ３１と、ＲＡＭ３２と、記憶部３３と、通信部３６等を備えている。
なお、ファイルサーバ３の構成要素のうち、上述した本社ホスト１等の構成要素に対応するものについては、同列の符号を付し、詳細な説明を省略する。
【００５０】
記憶部３３は、電気的にデータの書きこみ、及び消去が可能な読み出し専用のメモリであるＥＥＰＲＯＭ（Electronically Erasable and Programmable Read Only Memory ）等から構成されており、ＩＤカードが新規に発行される際に登録された旧顔画像データ及びＩＤ情報を記憶している。なお、旧顔画像データは、例えば、所定の撮影装置７により撮影されたものであっても良いし、スキャナ等の所定の読取装置により読み取られたものであっても良い。
また、記憶部３３は、申請人の住所や氏名に変更があった場合に、本社ホスト１のＤＢ１０及びＡ支社ホスト２ａのＤＢ２０ａにおいて更新された情報をＣＰＵ３１の制御下にてＡ支社ホスト２ａから取得して記憶している。従って、当該ファイルサーバ３は、ＩＤカードが発行されるための最新の情報を記憶しており、ＤＢ２０ａがダウンした場合の予備のＤＢとしての機能を有している。
【００５１】
ＣＰＵ３１は、新顔画像記憶処理において、撮影装置７若しくはサーバコントーラ４からイントラネットＬ１を介して送信された、当該撮影装置７にて撮影された申請人の顔画像（以下、「新顔画像」という。）に係る新顔画像データとＩＤ情報（ＩＤ番号を含む）を受信すると、受信した新顔画像データ及びＩＤ情報をＩＤ番号と対応付けて記憶部３３の所定の領域に記憶させる。また、ＣＰＵ３１は、記憶部３３に対する新顔画像データ及びＩＤ情報の記憶が完了すると、記憶処理の完了通知をイントラネットＬ１を介して撮影装置７若しくはサーバコントローラ４に送信する。
ここで、ＣＰＵ３１は、新顔画像データ及びＩＤ情報を所定の暗号化処理により暗号化して、暗号化の結果を記憶処理の完了通知とともに撮影装置７に送信しても良い。この場合、暗号を解読するための解読鍵は、ＩＤ番号に対応付けて記憶部３３の所定の領域に記憶するようになっている。
【００５２】
上記構成のファイルサーバ３が複数設けられ、これらのうちの少なくとも２つのファイルサーバ３に等しい内容の旧顔画像データ及びＩＤ情報を格納するようになっている。これにより、旧顔画像データ及びＩＤ情報のバックアップを適正に行うことができる。
【００５３】
サーバコントローラ４は、例えばパーソナルコンピュータ等から構成され、複数のファイルサーバ３を管理するものであり、図５に示すように、ＣＰＵ４１と、ＲＡＭ４２と、記憶部４３と、入力部４４と、表示部４５と、通信部４６等を備えている。
なお、ファイルサーバ３の構成要素のうち、上述した本社ホスト１等の構成要素に対応するものについては、同列の符号を付し、詳細な説明を省略する。
【００５４】
ＣＰＵ４１は、旧顔画像取得処理において、受付装置５からイントラネットＬ１を介して送信されたＩＤ番号と顔画像サーバ８における旧顔画像データの送信先のアドレスを受信すると、サーバ選択手段として、サーバ選択プログラム４３ａに従って、複数のファイルサーバ３の中から、顔画像サーバ８に送信される旧顔画像データが取得されるファイルサーバ３を選択する。ここで、ファイルサーバ３の選択は、ＣＰＵ４１による所定のプログラムの実行に基づいて、ランダムに行われても良いし、予め設定された選択順に従って行われても良い。
そして、ＣＰＵ４１は、受信したＩＤ番号に基づいて、選択されたファイルサーバ３から旧顔画像データを取得し、取得した旧顔画像データを送信先のアドレスに従って顔画像サーバ８に送信するようになっている。
【００５５】
また、ＣＰＵ４１は、新顔画像記憶処理において、顔画像取得手段として、撮影装置７からイントラネットＬ１を介して送信された新顔画像データとＩＤ情報（ＩＤ番号を含む）を受信（取得）する。そして、ＣＰＵ４１は、記憶制御手段として、記憶制御プログラム４３ｂに従って、複数のファイルサーバ３の何れかを選択して、選択されたファイルサーバ３の記憶部４３にＩＤ番号と対応付けて新顔画像データ及びＩＤ情報を記憶させる。
また、ＣＰＵ４１は、ファイルサーバ３からイントラネットＬ１を介して送信された記憶処理の完了通知を受信すると、受信した記憶処理の完了通知を撮影装置７に送信する。
【００５６】
記憶部４３は、読み出し専用のメモリであるＲＯＭ等から構成されており、ＣＰＵ４１により実行される本社ホスト１としての各種の処理に係るアプリケーションプログラムや、当該ＩＤカード作成システム１００に対応する各種処理プログラム及びプログラムで処理されたデータ等を記憶する。具体的には、記憶部４３は、サーバ選択プログラム４３ａ、記憶制御プログラム４３ｂ等を記憶している。
なお、プログラムは、コンピュータが読取可能なプログラムコードの形態で格納され、当該プログラムコードに従った動作がＣＰＵ４１の制御下にて逐次実行される。
【００５７】
受付装置５は、図６に示すように、ＣＰＵ５１と、ＲＡＭ５２と、記憶部５３と、入力部５４と、表示部５５と、プリント部５７と、通信部５６等を備えている。
なお、受付装置５の構成要素のうち、上述した本社ホスト１等の構成要素に対応するものについては、同列の符号を付し、詳細な説明を省略する。
【００５８】
ＣＰＵ５１は、更新受付処理において、入力部５４を介してＩＤカードの作成処理の実行指示としての申請人のＩＤ番号が入力されると、入力されたＩＤ番号をイントラネットＬ１を介してＡ支社ホスト２ａに送信する。ここで、ＩＤ番号が入力されると、ＣＰＵ５１は、所定のプログラムに従って、申請人に対して登録されるＩＤ情報の内容に変更があるか否かを選択させる変更有無選択処理を行う。そして、申請人によりＩＤ情報の内容に変更がないと指示された場合には、ＣＰＵ５１は、ＩＤ情報の変更なしに係る変更無情報をＩＤ番号とともにＡ支社ホスト２ａに送信する一方で、ＩＤ情報の内容に変更があると指示された場合には、ＩＤ番号のみをＡ支社ホスト２ａに送信するようになっている。なお、ＣＰＵ５１は、ＩＤ番号に加えてＩＤ情報の変更ありに係る変更有情報を送信しても良い。
また、ＣＰＵ５１は、ＩＤ情報の内容に変更がある場合にイントラネットＬ１を介してＡ支社ホスト２ａから送信された更新許可情報を受信すると、プリント部５７を制御して受信した更新許可情報及びＩＤ番号を申請書にプリントさせる。一方で、ＣＰＵ５１は、ＩＤ情報の内容に変更がない場合にイントラネットＬ１を介してＡ支社ホスト２ａから送信されたＩＤ情報（ＩＤ番号を含む）及び更新許可情報を受信すると、プリント部５７を制御して受信したＩＤ情報及び更新許可情報を申請書にプリントさせる。
【００５９】
さらに、ＣＰＵ５１は、Ａ支社ホスト２ａから送信された更新否許可指示情報を受信すると、警告メッセージ（例えば、「更新が許可されていません」等の文字メッセージ）を作成して、表示部５５に表示させる。
【００６０】
また、ＣＰＵ５１は、旧顔画像取得処理において、上記の変更有無選択処理と並行して、入力されたＩＤ番号と顔画像サーバ８における旧顔画像データの送信先のアドレスをイントラネットＬ１を介してサーバコントローラ４に送信する。
さらに、ＣＰＵ５１は、サーバコントローラ４から送信された旧顔画像データの顔画像サーバ８に対する送信結果を受信すると、受信した送信結果をＩＤ番号に対応付けてＲＡＭ５２の所定の格納領域に格納する。
【００６１】
入力部５４は、申請人のＩＤ番号を入力する識別情報入力手段を構成しており、例えば、カーソルキー、数字入力キー、及び各種機能キーを備えたキーボードを含み、このキーボードで押下されたキーに対応する押下信号をＣＰＵ５１に出力する。
また、入力部５４は、更新されるＩＤカードの表面に印字されたＩＤ番号を読み取るＯＣＲ（Optical Character Reader）や、ＩＤカードの表面にプリントされた顔写真・文字情報を読み取るイメージスキャナや、半導体記憶素子を備えた記録媒体（例えば、カード内蔵メモリ）に記憶されたＩＤ番号を読み取るＩＣＲ／Ｗ装置等を備える構成であっても良い。
【００６２】
プリント部５７は、ＣＰＵ５１の制御下にて、ＩＤ情報の内容に変更がない場合に、更新許可情報及びＩＤ情報（ＩＤ番号を含む）を所定の申請書にプリントする一方で、ＩＤ情報の内容に変更がある場合に、更新許可情報及びＩＤ番号を所定の申請書にプリントする。
【００６３】
登録装置６は、例えばパーソナルコンピュータ等から構成され、申請人のＩＤ情報のうち変更される内容を入力するための装置である。具体的には、図７に示すように、登録装置６は、ＣＰＵ６１と、ＲＡＭ６２と、記憶部６３と、入力部６４と、表示部６５と、プリント部６７と、通信部６６とを備えている。
なお、登録装置６の構成要素のうち、上述した本社ホスト１等の構成要素に対応するものについては、同列の符号を付し、詳細な説明を省略する。
【００６４】
ＣＰＵ６１は、更新受付処理において、入力部６４を介してＩＤ情報のうちの所定の情報（例えば、住所や氏名等）が変更されると、変更された情報をイントラネットＬ１を介してＡ支社ホスト２ａに送信する。
また、ＣＰＵ６１は、Ａ支社ホスト２ａからイントラネットＬ１を介して送信された更新後のＩＤ情報を受信すると、プリント部６７を制御して受信した更新後のＩＤ情報を、更新許可情報及びＩＤ番号が受付装置５にてプリントされた申請書に対してプリントさせる。
【００６５】
入力部６４は、カーソルキー、数字入力キー及び各種機能キーを備えたキーボードを含み、このキーボードで押下されたキーに対応する押下信号をＣＰＵ６１に出力する。具体的には、入力部６４は、申請人によるキーボードの所定の操作に基づいてＩＤ情報のうちの変更に係る変更情報を入力可能となっている。
【００６６】
プリント部６７は、ＣＰＵ６１の制御下にて、ＩＤ情報の内容に変更がある場合に、更新後のＩＤ情報を更新許可情報及びＩＤ番号がプリントされた所定の申請書にプリントする。
【００６７】
撮影装置７は、申請人の顔画像を撮影して新顔画像データを生成するための装置であり、図８に示すように、ＣＰＵ７１と、ＲＡＭ７２と、ＥＥＰＲＯＭ７７と、記憶部７３と、カメラ７８と、光源７９と、入力部７４と、表示部７５と、通信部７６等を備えている。
なお、撮影装置７の構成要素のうち、上述した本社ホスト１等の構成要素に対応するものについては、同列の符号を付し、詳細な説明を省略する。
【００６８】
ＣＰＵ７１は、ＩＤカード作成処理において、入力部７４を介して申請人のＩＤ番号が入力されると、所定のプログラムに従って、ＥＥＰＲＯＭ７７の所定の領域にＩＤ番号をキーとするＩＤ情報管理ＤＢ（図示略）を作成する。
また、ＣＰＵ７１は、入力されたＩＤ番号をイントラネットＬ１を介してＡ支社ホスト２ａに送信する。そして、ＣＰＵ７１は、Ａ支社ホスト２ａからイントラネットＬ１を介して送信されたＩＤ情報を受信すると、受信したＩＤ情報をＥＥＰＲＯＭ７７のＩＤ情報管理ＤＢに記憶させる。
【００６９】
また、ＣＰＵ７１は、ＩＤ番号をＡ支社ホスト２ａに送信する処理と並行して、申請人の顔画像をカメラ７８に撮影させる。そして、ＣＰＵ７１は、カメラ７８により撮影されることで生成された新顔画像データをＩＤ番号と対応付けてＩＤ情報管理ＤＢに格納させるとともに、新顔画像データに係る表示情報を生成して表示部７５に対して出力する。
【００７０】
さらに、ＣＰＵ７１は、ＩＤ番号をＡ支社ホスト２ａに送信する処理並びに申請人の顔画像を撮影させる処理と並行して、ＩＤ番号をイントラネットＬ１を介して顔画像サーバ８に対して出力する。そして、ＣＰＵ７１は、顔画像サーバ８から送信されたＩＤ番号と対応付けられた旧顔画像データを受信すると、受信した旧顔画像データをＩＤ番号と対応付けてＩＤ情報管理ＤＢに格納させるとともに、旧顔画像データに係る表示情報を生成して表示部７５に対して出力する。ここで、ＣＰＵ７１は、顔画像サーバ８から申請人の本人確認用の旧顔画像データを取得する確認用顔画像取得手段を構成している。
また、ＣＰＵ７１は、本人確認手段として、本人確認プログラムに従って、ＩＤ情報管理ＤＢに格納された旧顔画像データと撮影装置７にて撮影された顔画像データとを照合して申請人の本人確認を行う。具体的には、顔画像どうしの照合において、ＣＰＵ７１は、例えば、各顔画像の顔全体の特徴量を計算して、それら特徴量どうしを比較する。そして、ＣＰＵ７１は、顔画像どうしの一致の可能性が高いと判断した場合には、ＩＤ番号と対応付けられた新顔画像データとＩＤ情報をイントラネットＬ１を介してＩＤカード作成装置９に送信する。また、ＣＰＵ７１は、顔画像どうしの一致の可能性が低いと判断した場合には、ＩＤカードの更新が不正であることを警告するようになっているが、オペレータによりＩＤカードの更新許可が指示されると、ＩＤ番号と対応付けられた新顔画像データ及びＩＤ情報をＩＤカード作成装置９に送信する。
【００７１】
また、ＣＰＵ７１は、新顔画像記憶処理において、新顔画像データ及びＩＤ情報がＩＤ情報管理ＤＢに格納されると、サーバコントローラ４にログインする。すると、ＣＰＵ７１は、新顔画像データとＩＤ情報（ＩＤ番号を含む）をイントラネットＬ１を介してサーバコントローラ４に送信する。一方、サーバコントローラ４にログインできなかった場合には、ＣＰＵ７１は、記憶制御手段として、記憶制御プログラムに従って、複数のファイルサーバ３の何れかを選択してログインする。そして、ＣＰＵ７１は、ログインしたファイルサーバ３にイントラネットＬ１を介して新顔画像データとＩＤ情報（ＩＤ番号を含む）を送信する。
さらに、ＣＰＵ７１は、サーバコントローラ４若しくはファイルサーバ３からイントラネットＬ１を介して送信された記憶処理の完了通知（新顔画像データ及びＩＤ情報の暗号化結果を含む場合あり）を受信すると、受信した記憶処理の完了通知をＩＤ情報管理ＤＢに格納する。
【００７２】
なお、ＣＰＵ７１は、生成した新顔画像データに所定の色修正処理を行ったり新顔画像データを所定の圧縮形式にて圧縮するようにしても良い。また、ＣＰＵ７１は、例えば、ファイルサーバ３にて作成された電子署名若しくは当該ＣＰＵ７１の制御下にて所定のプログラムの実行に従って作成した電子署名を、ＩＤカード作成装置９に送信されるＩＤ番号と対応付けられた新顔画像データ及びＩＤ情報に添付しても良い。
【００７３】
ＲＡＭ７２は、ＣＰＵ７１によって実行される各種プログラムやこれら各種プログラムによって処理されたデータ等を一時的に記憶するワークエリアを形成する。例えば、ＲＡＭ７２は、カメラ７８により撮影され生成された顔画像データを一時的に記憶する。
【００７４】
ＥＥＰＲＯＭ７７は、電気的にデータの書きこみ、及び消去が可能な読み出し専用のメモリであり、主制御プログラムを格納する。
また、ＥＥＰＲＯＭ７７の所定の領域には、ＣＰＵ７１の制御下にて、申請人のＩＤ番号をキーとするＩＤ情報管理ＤＢが構成されるようになっている。
【００７５】
記憶部７３は、プログラムやデータ等が予め記憶されている記録媒体（図示省略）を有しており、この記録媒体は磁気的、光学的記録媒体、若しくは半導体メモリで構成されている。この記録媒体は、記憶部７３に固定的に設けられるもの若しくは着脱自在に装着するものであり、この記録媒体には、システムプログラム、当該システムに対応する各種処理プログラム及び各種処理プログラムで処理されたデータ等を記憶する。
なお、プログラムは、コンピュータが読取可能なプログラムコードの形態で格納され、当該プログラムコードに従った動作がＣＰＵ７１の制御下にて逐次実行される。
【００７６】
カメラ７８は、申請人の顔画像を撮影する顔画像撮影手段を構成しており、例えばガラス又はプラスチックからなる光学レンズ及びＣＣＤやＣＭＯＳ等の光学センサからなり、光学レンズを介して入力される静止画像を光学センサで電気信号に変換して画像データを生成する。
なお、カメラ７８は、動画を記録可能なデジタルビデオカメラ等により構成されていても良い。
【００７７】
ここで、カメラ７８は、申請人の顔に対しての撮影角度を変えて、即ち、例えば申請人の顔を正面から撮影するカメラや斜め正面から撮影するカメラ等を複数設ける構成であっても良い。この場合、申請人の顔画像データを複数生成することができ、これらの顔画像データを利用してＣＰＵ７１により申請人の本人確認における顔画像の照合を行うことができる。具体的には、例えば、ファイルサーバ３に異なる角度で撮影された申請人の複数の旧顔画像データを予め記憶しておき、カメラ７８により旧顔画像と略等しい角度で申請人の新顔画像を撮影し、ＣＰＵ７１は、撮影された複数の新顔画像とこれら新顔画像に対応する旧顔画像とを照合するようになっている。これにより、申請人の本人確認の判定精度を向上させることができる。また、例えば、ファイルサーバ３に複数の旧顔画像に基づいて算出された申請人の顔の特徴に係る特徴情報と正面顔画像とを予め記憶しておき、カメラ７８による申請人の複数の新顔画像の撮影に基づいて算出された特徴情報と正面顔画像とを、申請人の顔画像どうしの照合に利用するような構成であっても良い。これにより、ファイルサーバ３における顔画像の記憶領域の増加抑制及び顔画像の送受信にかかる時間の短縮化等を図ることもできる。
【００７８】
光源７９は、蛍光灯、ハロゲンランプ、メタルハライドランプ等により構成され、カメラ７８による申請人の顔画像の撮影時に被写体である申請人に対して光を照射する。
【００７９】
表示部７５は、ＣＲＴやＬＣＤ等によってなる表示画面を備え、ＣＰＵ７１から入力される表示信号の指示に従って入力部７４、通信部７６を介して送受信される表示データを画面上に表示する。具体的には、表示部７５は、カメラ７８により撮影された申請人の顔画像やイントラネットＬ１を介して顔画像サーバ８から送信され受信した旧画像等を表示するようになっている。
【００８０】
入力部７４は、カーソルキー、数字入力キー、及び各種機能キーを備えたキーボードを含み、このキーボードで押下されたキーに対応する押下信号をＣＰＵ７１に出力する。具体的には、入力部７４は、申請人によるキーボードの所定の操作に基づいて申請人のＩＤ番号を入力可能となっている。
また、入力部７４は、更新されるＩＤカードの表面に印字されたＩＤ番号及び申請書にプリントされたＩＤ番号を読み取るＯＣＲや、半導体記憶素子を備えた記録媒体に記憶されたＩＤ番号を読み取るＩＣＲ／Ｗ装置等を備える構成であっても良い。
【００８１】
顔画像サーバ８は、例えばパーソナルコンピュータ等から構成され、図９に示すように、ＣＰＵ８１と、ＲＡＭ８２と、記憶部８３と、入力部８４と、表示部８５と、通信部８６等を備えている。
なお、顔画像サーバ８の構成要素のうち、上述した本社ホスト１等の構成要素に対応するものについては、同列の符号を付し、詳細な説明を省略する。
【００８２】
ＣＰＵ８１は、旧顔画像取得処理において、サーバコントローラ４から送信された旧顔画像データを受信すると、受信した旧顔画像データをＩＤ番号に対応付けてＲＡＭ８２の所定の領域に記憶させる。即ち、当該顔画像サーバ８は、撮影装置７による申請人の新顔画像の撮影の前に、当該申請人の旧顔画像データをファイルサーバ３から取得して記憶する顔画像記憶手段を構成している。
ここで、サーバコントローラ４から旧顔画像データが送信されなかった場合、即ち、ファイルサーバ３に旧顔画像データが存在しなかった場合には、ＣＰＵ８１は、ＩＤ番号に対応付けて「旧顔画像無情報」をＲＡＭ８２に記憶させるようになっている。
【００８３】
また、ＣＰＵ８１は、ＩＤカード作成処理において、撮影装置７から送信されたＩＤ番号を受信すると、ＲＡＭ８２に記憶されている受信したＩＤ番号に対応する旧顔画像データを撮影装置７にイントラネットＬ１を介して送信する。
【００８４】
上記構成の顔画像サーバ８における各種情報の送受信の速度及び送受信される情報に係る各種の処理の速度は、少なくともファイルサーバ３よりも高速となっているのが好ましい。従って、撮影装置７は、ファイルサーバ３から旧顔画像データを直接取得するよりも、顔画像サーバ８に旧顔画像データを一旦記憶して、この旧顔画像データを取得した方が処理を高速にすることができる。
【００８５】
ＩＤカード作成装置９は、撮影装置７からイントラネットＬ１を介して送信され受信した新顔画像データ及びＩＤ情報に基づいて、所定のＩＤカードを作成するものである。
ここで、ＩＤカード作成装置９は、ＩＤカードとしてＩＣチップが内蔵されたＩＣカードを作成する場合には、ＩＣチップに撮影装置７から送信され受信したＩＤ情報をこのＩＤ情報に添付された所定の電子署名とともに記憶させるようになっている。
【００８６】
次に、図１０〜図１５を参照して、ＩＤカード作成システム１００による動作について説明する。
動作説明の前提として、以下のフローチャートに記述されている各処理を実現するためのプログラムは、コンピュータが読取り可能なプログラムコードの形態で本社ホスト１、Ａ支社ホスト２ａ、ファイルサーバ３、サーバコントローラ４、受付装置５、登録装置６、撮影装置７、顔画像サーバ８及びＩＤカード作成装置９の各記憶部１３（２３、３３、４３、５３、６３、７３、８３）に格納されており、各装置のＣＰＵ１１（２１、３１、４１、５１、６１、７１、８１）は、当該プログラムコードに従った動作を逐次実行する。
また、上記ＣＰＵ１１等は、伝送媒体を介して外部から供給されるプログラム及びデータを利用して、本実施の形態特有の動作を逐次実行することも可能である。
【００８７】
先ず、図１０及び図１１を参照して、ＩＤカード作成システム１００による更新受付処理について説明する。
ここで、図１０及び図１１は、更新受付処理に係る動作の一例を示すフローチャートである。
【００８８】
図１０に示すように、入力部５４を介してＩＤカードの作成処理の実行指示としての申請人のＩＤ番号が入力されると（ステップＳ１；識別情報入力工程）、受付装置５のＣＰＵ５１は、記憶部５３から読み出した所定のプログラムの実行に従って、申請人に対してＩＤ情報の内容に変更があるか否かを選択させるとともに（ステップＳ２１）、ＩＤ番号と顔画像サーバ８における旧顔画像データの送信先のアドレスをイントラネットＬ１を介してサーバコントローラ４に送信して旧顔画像取得処理を実行する（ステップＳ２２）。
【００８９】
そして、ステップＳ２１において、申請人によりＩＤ情報の内容に変更があると選択指示された場合には（ステップＳ２１；ＹＥＳ）、ＣＰＵ５１は、ＩＤ番号をＡ支社ホスト２ａにイントラネットＬ１を介して送信する（ステップＳ３）。
次に、Ａ支社ホスト２ａのＣＰＵ２１は、ＩＤ番号を受信すると、受信したＩＤ番号をＩＤカード更新（作成）の申請人の更新確認としてネットワークＮを介して本社ホスト１に送信する（ステップＳ４）。
【００９０】
そして、本社ホスト１のＣＰＵ１１は、ＩＤ番号を受信すると、受信したＩＤ番号に対応する社員関連情報をＤＢ１０から検索して取得する。そして、ＣＰＵ１１は、記憶部１３からカード作成判断プログラム１３ａを読み出してＲＡＭ１２に展開し、このカード作成判断プログラム１３ａに従って、取得した社員関連情報に基づいてＩＤカードを更新しても良いか否かを判断する（ステップＳ５）。ここで、ＣＰＵ１１は、ＩＤカードを更新しても良いと判断した場合に（ステップＳ５；ＹＥＳ）、記憶部１３から指示情報出力プログラム１３ｂを読み出してＲＡＭ１２に展開し、この指示情報出力プログラム１３ｂに従って、当該ＩＤカードの更新許可を指示する更新許可情報をＩＤ番号と対応付けてネットワークＮを介してＡ支社ホスト２ａに対して送信する（ステップＳ６）。一方、ＩＤカードの更新が許可されなかった場合には（ステップＳ５；ＮＯ）、ＣＰＵ１１は、ＩＤカードの更新の否許可を指示する更新否許可情報をＩＤ番号と対応付けてＡ支社ホスト２ａに対して送信する。
【００９１】
次に、Ａ支社ホスト２ａのＣＰＵ２１は、本社ホスト１から送信された更新許可情報及びＩＤ番号を受信すると、受信した更新許可情報をイントラネットＬ１を介して受付装置５に送信する（ステップＳ７）。
そして、受付装置５のＣＰＵ５１は、更新許可情報を受信すると、プリント部５７を制御して受信した更新許可情報及びＩＤ番号を申請書にプリントさせる（ステップＳ８）。
【００９２】
次に、所定の身体検査や審査等を経た申請人若しくはオペレータによる登録装置６のキーボードの操作に基づいて、ＩＤ情報のうちの所定の情報が変更されると、登録装置６のＣＰＵ６１は、変更された情報をイントラネットＬ１を介してＡ支社ホスト２ａに送信する（ステップＳ９）。
そして、Ａ支社ホスト２ａのＣＰＵ２１は、ＩＤ情報のうちの変更された情報を受信すると、受信した情報に基づいて、ＩＤ番号に対応するＩＤ情報をＩＤ情報ＤＢ内にて検索してＩＤ情報を更新する（ステップＳ１０）。その後、ＣＰＵ６１は、更新後のＩＤ情報をイントラネットＬ１を介して登録装置６に送信する（ステップＳ１１）。
【００９３】
そして、登録装置６のＣＰＵ６１は、更新後のＩＤ情報を受信すると、プリント部６７を制御して、受信した更新後のＩＤ情報を、更新許可情報及びＩＤ番号が受付装置５にてプリントされた申請書に対してプリントさせる（ステップＳ１２）。
その後、申請人は撮影装置７にて顔画像の撮影が行われる。
【００９４】
なお、ステップＳ５にて送信された更新否許可指示情報を受信すると、Ａ支社ホスト２ａのＣＰＵ２１は、受信した更新否許可指示情報をイントラネットＬ１を介して受付装置５に送信する。そして、受付装置５のＣＰＵ５１は、更新否許可指示情報を受信すると、警告メッセージを作成して表示部５５に表示させる。これにより、申請人に対して更新否許可を報知するようになっている。
【００９５】
また、ステップＳ２１において、申請人によりＩＤ情報の内容に変更がないと選択指示された場合には（ステップＳ２１；ＮＯ）、図１１に示すように、受付装置５のＣＰＵ５１は、ＩＤ情報及び変更無情報をＡ支社ホスト２ａにイントラネットＬ１を介して送信する（ステップＳ１３）。
次に、Ａ支社ホスト２ａのＣＰＵ２１は、ＩＤ番号及び変更無情報を受信すると、受信したＩＤ番号をネットワークＮを介して本社ホスト１に送信する（ステップＳ１４）。
そして、本社ホスト１のＣＰＵ１１は、ＩＤ番号を受信すると、ステップＳ５と同様にしてＩＤカードを更新しても良いか否かを判断して（ステップＳ１５）、更新しても良いと判断した場合に（ステップＳ１５；ＹＥＳ）、更新許可情報をＩＤ番号と対応付けてネットワークＮを介してＡ支社ホスト２ａに対して送信する一方で（ステップＳ１６）、ＩＤカードの更新が許可されなかった場合には（ステップＳ１５；ＮＯ）、更新否許可情報をＩＤ番号と対応付けてＡ支社ホスト２ａに対して送信する。
【００９６】
次に、Ａ支社ホスト２ａのＣＰＵ２１は、本社ホスト１から送信された更新許可情報を受信すると、ＩＤ番号及び変更無情報に基づいて、ＤＢ２０ａ内にてＩＤ番号に対応するＩＤ情報を検索して、そのＩＤ情報に内容変更が無いことを書き込んだ後（ステップＳ１７）、更新されたＩＤ番号を含むＩＤ情報及び更新許可情報をイントラネットＬ１を介して受付装置５に送信する（ステップＳ１８）。
そして、受付装置５のＣＰＵ５１は、ＩＤ情報（ＩＤ番号を含む）及び更新許可情報を受信すると、プリント部５７を制御して受信したＩＤ情報及び更新許可情報を申請書にプリントさせる（ステップＳ１９）。
その後、申請人は、所定の身体検査や審査等を経た後、撮影装置７にて顔画像の撮影が行われる。
【００９７】
次に、図１２を参照して、ＩＤカード作成システム１００による旧顔画像取得処理について詳細に説明する。
ここで、図１２は、旧顔画像取得処理に係る動作の一例を示すフローチャートである。
【００９８】
図１２に示すように、受付装置５のＣＰＵ５１は、入力されたＩＤ番号と顔画像サーバ８における旧顔画像データの送信先のアドレスをイントラネットＬ１を介してサーバコントローラ４に送信する（ステップＳ１０１）。
【００９９】
そして、サーバコントローラ４のＣＰＵ４１は、ＩＤ番号及び送信先のアドレスを受信すると、記憶部４３からサーバ選択プログラム４３ａを読み出してＲＡＭ４２に展開し、このサーバ選択プログラム４３ａに従って、複数のファイルサーバ３の中から、顔画像サーバ８に送信される旧顔画像データが取得されるファイルサーバ３を選択する。そして、ＣＰＵ４１は、選択されたファイルサーバ３からＩＤ番号に基づいて旧顔画像データを取得する（ステップＳ１０２）。
その後、ＣＰＵ４１は、取得した旧顔画像データを送信先のアドレスに従ってイントラネットＬ１を介して顔画像サーバ８に送信するとともに（ステップＳ１０３）、旧顔画像データの顔画像サーバ８に対する送信結果をイントラネットＬ１を介して受付装置５に送信する（ステップＳ１０４）。
【０１００】
そして、顔画像サーバ８のＣＰＵ８１は、サーバコントローラ４から送信された旧顔画像データを受信すると、受信した旧顔画像データをＩＤ番号に対応付けてＲＡＭ８２の所定の領域に記憶させる（ステップＳ１０５；顔画像記憶工程）。ここで、ファイルサーバ３に旧顔画像データが存在せずにサーバコントローラ４から旧顔画像データが送信されなかった場合には、ＣＰＵ８１は、ＩＤ番号に対応付けて「旧顔画像無情報」をＲＡＭ８２に記憶させるようになっている。
また、受付装置５のＣＰＵ５１は、サーバコントローラ４から送信された旧顔画像データの顔画像サーバ８に対する送信結果を受信すると、受信した送信結果をＩＤ番号に対応付けてＲＡＭ５２の所定の格納領域に格納する（ステップＳ１０６）。
【０１０１】
次に、図１３を参照して、ＩＤカード作成システム１００によるＩＤカード作成処理について説明する。
ここで、図１３は、ＩＤカード作成処理に係る動作の一例を示すフローチャートである。
【０１０２】
申請人の顔画像の撮影装置７による撮影において、図１３に示すように、入力部７４を介してＩＤ番号が入力されると（ステップＳ２０１）、撮影装置７のＣＰＵ７１は、所定のプログラムに従って、ＥＥＰＲＯＭ７７の所定の領域にＩＤ番号をキーとするＩＤ情報管理ＤＢを作成する（ステップＳ２０２）。
【０１０３】
次に、ＣＰＵ７１は、入力されたＩＤ番号をイントラネットＬ１を介してＡ支社ホスト２ａに送信する（ステップＳ２１１）。
そして、Ａ支社ホスト２ａのＣＰＵ２１は、ＩＤ番号を受信すると、受信したＩＤ番号に対応するＩＤ情報をＤＢ内にて検索する（ステップＳ２１２）。続けて、ＣＰＵ２１は、検索の結果取得したＩＤ情報をＩＤ番号とともにイントラネットＬ１を介して撮影装置７に送信する（ステップＳ２１３）。
そして、撮影装置７のＣＰＵ７１は、ＩＤ情報を受信すると、受信したＩＤ情報をＥＥＰＲＯＭ７７のＩＤ情報管理ＤＢに格納させる（ステップＳ２１４）。
【０１０４】
また、ＣＰＵ７１は、ステップＳ２１１のＩＤ番号をＡ支社ホスト２ａに送信する処理と並行して、申請人の顔画像をカメラ７８に撮影させる（ステップＳ２２１；顔画像撮影工程）。そして、ＣＰＵ７１は、カメラ７８により撮影されることで生成された新顔画像データをＩＤ番号と対応付けてＩＤ情報管理ＤＢに格納させるとともに、新顔画像データに係る表示情報を生成して表示部７５に対して出力する（ステップＳ２２２）。
【０１０５】
さらに、ＣＰＵ７１は、ステップＳ２１１のＩＤ番号をＡ支社ホスト２ａに送信する処理並びにステップＳ２２１の申請人の顔画像を撮影させる処理と並行して、ＩＤ番号をイントラネットＬ１を介して顔画像サーバ８に対して出力する（ステップＳ２３１）。
そして、顔画像サーバ８のＣＰＵ８１は、ＩＤ番号を受信すると、受信したＩＤ番号に対応する旧顔画像データをＲＡＭ８２から検索して、その結果取得した旧顔画像データをＩＤ番号に対応付けて撮影装置７に送信する（ステップＳ２３２）。
その後、撮影装置７のＣＰＵ７１は、ＩＤ番号と対応付けられた旧顔画像データを受信すると、受信した旧顔画像データをＩＤ番号と対応付けてＩＤ情報管理ＤＢに格納させるとともに（確認用顔画像取得工程）、旧顔画像データに係る表示情報を生成して表示部７５に対して出力する（ステップＳ２３３）。
【０１０６】
次に、ＣＰＵ７１は、所定の判断プログラムに従って、申請人の本人確認用としての旧顔画像データが存在しているか否かを判断する（ステップＳ２３４）。ここで、旧顔画像データが存在していると判断した場合には（ステップＳ２３４；ＹＥＳ）、ＣＰＵ７１は、記憶部７３から本人確認プログラムを読み出してＲＡＭ７２に展開し、この本人確認プログラムに従って、ＩＤ情報管理ＤＢに格納された旧顔画像と撮影装置７にて撮影された顔画像とを照合して申請人の本人確認を行う（本人確認工程）。そして、新顔画像データ及び旧顔画像データの照合の結果、顔画像どうしの一致の可能性が高いと判断した場合には（ステップＳ２３５；ＹＥＳ）、ＣＰＵ７１は、ＩＤ番号と対応付けられた新顔画像データとＩＤ情報をイントラネットＬ１を介してＩＤカード作成装置９に送信して、ＩＤカード作成装置９にＩＤカードを作成させる（ステップＳ２３６）。また、ＣＰＵ７１は、顔画像どうしの一致の可能性が低いと判断した場合には（ステップＳ２３５；ＮＯ）、ＩＤカードの更新が不正であることを警告する所定の信号を出力して、表示部７５等を介して警告する（ステップＳ２３７）。ここで、オペレータによるＩＤカード作成の認否の判断に基づいてＩＤカードの更新許可が指示された場合には（ステップＳ２３８；ＹＥＳ）、ＣＰＵ７１は、ステップＳ２３６に移行して係る処理を実行させる一方で、ＩＤカードの更新許可が指示されない場合には（ステップＳ２３８；ＮＯ）、ＩＤカードの作成の処理を中止する（ステップＳ２３９）。
【０１０７】
また、ステップＳ２３４にて、旧顔画像データが存在していないと判断された場合には（ステップＳ２３４；ＮＯ）、ＣＰＵ７１による顔画像どうしの照合が行われずに、オペレータによるＩＤカード作成の認否の判断がなされる（ステップＳ２４０）。そして、ＩＤカードの更新許可が指示された場合には（ステップＳ２４０；ＹＥＳ）、ＣＰＵ７１は、ステップＳ２３７に移行して係る処理を実行させる一方で、ＩＤカードの更新許可が指示されない場合には（ステップＳ２４０；ＮＯ）、ステップＳ２３９に移行して係る処理を実行させる。
【０１０８】
次に、図１４及び図１５を参照して、ＩＤカード作成システム１００による新顔画像記憶処理について説明する。
ここで、図１４及び図１５は、新顔画像記憶処理に係る動作の一例を示すフローチャートである。
【０１０９】
上記のＩＤカード作成処理におけるステップＳ２１４にてＩＤ情報がＩＤ情報管理ＤＢに格納され、ステップＳ２２２にて新顔画像データがＩＤ番号と対応付けてＩＤ情報管理ＤＢに格納されると、図１４に示すように、撮影装置７のＣＰＵ７１は、所定の制御信号をイントラネットＬ１を介してサーバコントローラ４に出力して、サーバコントローラ４にログイン可能か否かを判断する（ステップＳ３０１）。
ここで、ログインＯＫである場合には（ステップＳ３０１；ＹＥＳ）、ＣＰＵ７１は、新顔画像データとＩＤ情報（ＩＤ番号を含む）をイントラネットＬ１を介してサーバコントローラ４に送信する（ステップＳ３０２）。
【０１１０】
そして、サーバコントローラ４のＣＰＵ４１は、新顔画像データとＩＤ情報（ＩＤ番号を含む）を受信すると、受信した新顔画像データとＩＤ情報を一旦ＲＡＭ４２の所定の領域に格納し（ステップＳ３０３）、記憶部４３から記憶制御プログラム４３ｂを読み出してＲＡＭ４２に展開し、この記憶制御プログラム４３ｂに従って、複数のファイルサーバ３の何れかを選択してログインし（ステップＳ３０４）、続けて、選択されたファイルサーバ３にＩＤ番号と対応付けて新顔画像データ及びＩＤ情報をイントラネットＬ１を介して送信して（ステップＳ３０５）、これらをファイルサーバ３の記憶部３３に記憶させる（ステップＳ３０６）。
【０１１１】
次に、ファイルサーバ３のＣＰＵ３１は、記憶部３３に対する新顔画像データ及びＩＤ情報の記憶が完了すると、記憶処理の完了通知をイントラネットＬ１を介してサーバコントローラ４に送信する（ステップＳ３０７）。ここで、ＣＰＵ３１は、新顔画像データ及びＩＤ情報を所定の暗号化処理により暗号化して、暗号化の結果を記憶処理の完了通知とともに撮影装置７に送信しても良い。
【０１１２】
そして、サーバコントローラ４のＣＰＵ４１は、記憶処理の完了通知（新顔画像データ及びＩＤ情報の暗号化結果を含む場合あり）を受信すると、ファイルサーバ３からログオフした後（ステップＳ３０８）、受信した記憶処理の完了通知をイントラネットＬ１を介して撮影装置７に送信する（ステップＳ３０９）。
次に、撮影装置７のＣＰＵ７１は、記憶処理の完了通知を受信すると、サーバコントローラ４からログオフした後（ステップＳ３１０）、受信した記憶処理の完了通知をＩＤ情報管理ＤＢに格納する（ステップＳ３１１）。
【０１１３】
また、ステップＳ３０１において、撮影装置７のＣＰＵ７１がサーバコントローラ４にログインできなかった場合には（ステップＳ３０１；ＮＯ）、図１５に示すように、ＣＰＵ７１は、記憶部７３から記憶制御プログラムを読み出してＲＡＭに展開し、この記憶制御プログラムに従って、複数のファイルサーバ３の何れかを選択してログインする（ステップＳ３１２）。すると、ログインしたファイルサーバ３に対して、ＣＰＵ７１は、新顔画像データとＩＤ情報（ＩＤ番号を含む）をイントラネットＬ１を介して送信する（ステップＳ３１３）。
【０１１４】
そして、ファイルサーバ３のＣＰＵ３１は、新顔画像データとＩＤ情報を受信すると、受信した新顔画像データとＩＤ情報を記憶部３３に記憶させる（ステップＳ３１４）。記憶部３３に対する新顔画像データ及びＩＤ情報の記憶が完了すると、ＣＰＵ３１は、記憶処理の完了通知をイントラネットＬ１を介して撮影装置７に送信する（ステップＳ３１５）。このとき、ステップＳ３０７と同様に、ＣＰＵ３１は、新顔画像データ及びＩＤ情報を所定の暗号化処理により暗号化して、暗号化の結果を記憶処理の完了通知とともに撮影装置７に送信しても良い。
【０１１５】
撮影装置７のＣＰＵ７１は、記憶処理の完了通知（新顔画像データ及びＩＤ情報の暗号化結果を含む場合あり）を受信すると、ファイルサーバ３からログオフした後（ステップＳ３１６）、受信した記憶処理の完了通知をＩＤ情報管理ＤＢに格納する（ステップＳ３１７）。
【０１１６】
なお、新顔画像データ及びＩＤ情報（ＩＤ番号を含む）が記憶された何れかのファイルサーバ３は、例えばサーバコントローラ４の制御下にて、新顔画像データ及びＩＤ情報の複製を行って、複製された情報を当該新顔画像データ及びＩＤ情報を記憶していない他の全てのファイルサーバ３に対して送信して記憶させるようになっている。これにより、全てのファイルサーバ３が新顔画像データ及びＩＤ情報を記憶した状態となり、新顔画像データ及びＩＤ情報のバックアップを適正なものとすることができる。
なお、新顔画像データ及びＩＤ情報のバックアップを行う上では、新顔画像データ及びＩＤ情報を全てのファイルサーバ３に記憶させておく必要はなく、少なくとも何れか二つのファイルサーバ３に記憶させておけば良いが、バックアップの万全を期す上ではファイルサーバ３の数が多ければ多いほど好ましい。
【０１１７】
以上のように、第一の実施の形態のＩＤカード作成システム１００によれば、申請人の顔画像の撮影の前に、当該申請人の旧顔画像データをファイルサーバ３から取得して顔画像サーバ８に記憶しておくので、申請人の本人確認の際に、旧顔画像データをファイルサーバ３から取得する場合に比べて、撮影装置７による顔画像サーバ８からの旧顔画像データの取得を迅速に行うことができる。即ち、ファイルサーバ３には旧顔画像データ等が大量に格納されているため、ＩＤカードの更新に係る申請人に対応する旧顔画像データの検索には時間がかかることとなる。そこで、申請人の新顔画像の撮影の前に顔画像サーバ８により当該申請人の旧顔画像データを予め取得して記憶しておくことにより、撮影装置７は旧顔画像データの取得を迅速に行うことができる。
ここで、申請人のＩＤ番号の入力に基づいて、当該ＩＤ番号と対応する旧顔画像データをファイルサーバ３から取得して顔画像サーバ８にＩＤ番号と対応付けて記憶することができるので、ＩＤ番号を利用して旧顔画像データのファイルサーバ３からの取得を適正に行うことができる。また、入力されたＩＤ番号と対応する旧顔画像データを顔画像サーバ８から適正に取得することができる。
よって、取得された旧顔画像データと撮影された顔画像に係る新顔画像データとを照合して申請人の本人確認を迅速に行うことができる。このように、本人確認に係る処理の効率を向上させることができ、これにより、ＩＤカードの作成を効率良く迅速に行うことができる。
【０１１８】
また、本社ホスト１によって、Ａ支社ホスト２ａから送信され受信したＩＤ番号に基づいて、ＩＤカードを作成しても良いか否かを適正に判断することができる。そして、ＩＤカードを作成しても良いと判断された場合に、本社ホスト１により当該ＩＤカードの作成許可の指示を行うことができる。
【０１１９】
さらに、ファイルサーバ３を複数備えるので、例えば複数のファイルサーバ３のうちの何れかが破損等によりアクセス不能となっても、残りのファイルサーバ３を利用して旧顔画像データの取得を適正に行うことができる。また、複数のファイルサーバ３を管理するサーバコントローラ４によって、複数のファイルサーバ３の中から旧顔画像データが取得されるファイルサーバ３の選択を適正に行うことができる。
さらに、サーバコントローラ４は、撮影された新顔画像データを撮影装置７から取得して、取得された顔画像データが記憶されるファイルサーバ３の選択を適正に行うことができる。そして、ファイルサーバ３には、本人であると確認された申請人の顔画像に係る新顔画像データが記憶されるので、申請人のより新しい顔画像がファイルサーバ３に記憶された状態となり、記憶された新顔画像を次回以降のＩＤカードの作成における申請人の本人確認に利用することで、申請人の本人確認をより適正に行うことができる。
ここで、サーバコントローラ４の機能が停止した状態であっても、撮影装置７がファイルサーバ３に直接ログインすることによって、ファイルサーバ３から新顔画像データの記憶を適正に行うことができる。
【０１２０】
［第二の実施の形態］
以下に、第二の実施の形態のＩＤカード作成システムについて説明する。
なお、第二の実施の形態のＩＤカード作成システムは、下記に説明する以外の点では上記第一の実施の形態と同様であるので、同様の構成には同一の符号を付してその説明を省略する。
【０１２１】
第二の実施の形態のＩＤカード作成システムにあっては、ＩＤカードの更新の申請人の本人確認に用いられる旧顔画像データに所定の画像処理を施すことにより、更新時の年齢に相当する顔画像データを作成し、作成された顔画像データと新顔画像データとの照合を行うようになっている。
即ち、顔画像サーバ８では、ＣＰＵ８１は、サーバコントローラ４から送信された旧顔画像データに基づいて、申請人の旧顔画像の年齢にＩＤカードの更新期間にほぼ相当するＮ年加齢した加齢画像を作成する旧顔画像加齢処理を実行するようになっている。
より具体的には、旧顔画像加齢処理において、ＣＰＵ８１は、記憶部８３から読み出された旧顔画像年齢取得プログラムに従って、サーバコントローラ４から送信されてＲＡＭ８２の所定領域に記憶された旧顔画像データ及びＩＤ情報を読み出し、生年月日と前回の更新申請年月日（旧顔画像の撮影日）に基づいて所定の演算を行うことによりＩＤカードの前回更新時の申請人の年齢を算出する。また、ＣＰＵ８１は、記憶部８３から読み出された加齢画像作成プログラムに従って、ＩＤカードの更新期間Ｎに係る更新期間情報に基づいて、申請人の旧顔画像の年齢に前回更新時からの更新期間Ｎにほぼ相当するＮ年加齢した加齢画像としての旧顔画像Ｎを作成する。
【０１２２】
ここで、旧顔画像Ｎを作成する方法の一例について説明する。
顔画像サーバ８にあっては、記憶部８３は、例えばファイルサーバ３に記憶されている複数の旧顔画像に基づいて作成された、男女の各年齢における平均的な特徴を有する平均顔に係る平均顔データを格納する平均顔ＤＢを構成している。
そして、ＣＰＵ８１は、平均顔データに基づいて、旧顔画像とＮ年後の旧顔画像Ｎどうしにおいて対応する所定位置（例えば、顔の輪郭や口、目等の部分）の特徴点の差分を算出し、算出された特徴点のうち、（１）顔画像の表情に係る差分、（２）特徴点の不変性、（３）顔画像の対象性、（４）顔画像間における幾何学的拘束条件等に基づいて、旧顔画像Ｎデータを作成するようになっている。
具体的には、ＣＰＵ８１は、算出されたＩＤカードの前回更新時の申請人の年齢に対応する平均顔データを平均顔ＤＢから取得する。また、ＣＰＵ８１は、取得した平均顔データと申請人の旧顔画像データとに基づいて外挿（カリカチュア）処理を行って、申請人の顔画像の特徴が誇張された誇張顔データを作成する。
次に、ＣＰＵ８１は、平均顔ＤＢから前回更新時から更新期間Ｎにほぼ相当するＮ年経過後の申請人の年齢に対応する平均顔データを取得する。そして、ＣＰＵ８１は、取得した平均顔データと申請人の誇張顔データとに基づいて内挿（モーフィング）処理を行って、前回更新時の申請人の年齢からＮ年加齢させた申請人の旧顔画像Ｎデータを作成する。
ここで、ＣＰＵ８１は、前回更新時から更新期間Ｎ経過後の申請人の年齢に対応する平均顔データに加えて、更新期間Ｎ±ｍ（ｍは、例えば１年若しくは２年である。）経過後の平均顔データを平均顔ＤＢから取得しても良く、この場合、取得した更新期間Ｎ±ｍ経過後の複数の平均顔データに基づいて内挿処理を行うことにより更新期間Ｎ±ｍ経過後の年齢に係る申請人の旧顔画像Ｎ±ｍデータを作成する。
【０１２３】
なお、更新期間情報は、例えば、本社ホスト１のＤＢ１０に記憶された社員関連情報に基づいて、各社員のペナルティの量等に応じて更新期間Ｎが例えば３年や５年に規定された情報である。また、更新期間情報は、更新受付処理における受付装置５に対するＩＤ番号の入力に基づいて、本社ホスト１のＤＢ１０からＡ支社ホスト２ａを介して更新許可情報とともに受付装置５に送信され、その後、サーバコントローラ４を介して顔画像サーバ８にて取得されるようになっている。
【０１２４】
また、撮影装置７のＣＰＵ７１は、本人確認プログラムに従って、顔画像サーバ８にて作成された後でＩＤ情報管理ＤＢに格納された旧顔画像Ｎデータと撮影装置７にて撮影された新顔画像データとを照合して申請人の本人確認を行う。
【０１２５】
次に、図１６〜図１８を参照して、第二の実施の形態のＩＤカード作成システムの動作について説明する。
ここで、図１６は、第二の実施の形態のＩＤカード作成システムによる旧顔画像取得処理に係る動作の一例を示すフローチャートであり、図１７は、ＩＤカード作成処理に係る動作の一例を示すフローチャートであり、図１８は、顔画像サーバ８による旧顔画像加齢処理に係る動作の一例を示すフローチャートである。
【０１２６】
図１６に示すように、旧顔画像取得処理において、サーバコントローラ４のＣＰＵ４１は、ステップＳ１０１にて受付装置５から送信されたＩＤ番号及び送信先のアドレスを受信すると、記憶部４３から読み出されたサーバ選択プログラム４３ａに従って、顔画像サーバ８に送信される旧顔画像データ及びＩＤ情報が取得されるファイルサーバ３を選択し、選択されたファイルサーバ３からＩＤ番号に基づいて旧顔画像データ及びＩＤ情報を取得する（ステップＳ４０２）。
続けて、ＣＰＵ４１は、取得した旧顔画像データ及びＩＤ情報をイントラネットＬ１を介して顔画像サーバ８に送信する（ステップＳ４０３）。
【０１２７】
顔画像サーバ８では、ＣＰＵ８１は、サーバコントローラ４から送信された旧顔画像データ及びＩＤ情報を受信すると、受信した旧顔画像データ及びＩＤ情報をＩＤ番号に対応付けてＲＡＭ８２の所定の領域に記憶させる（ステップＳ４０４）。
【０１２８】
また、顔画像サーバ８では、旧顔画像取得処理の後、その後に実行されるＩＤカード作成処理において撮影装置７から送信され通信部８６を介して受信されたＩＤ番号に基づいて、当該ＩＤ番号に対応する旧顔画像データが撮影装置７に対して送信される前に、ＣＰＵ８１は、ＲＡＭ８２に格納された旧顔画像データに基づいて、申請人の旧顔画像の年齢にＩＤカードの更新期間Ｎにほぼ相当するＮ年加齢した旧顔画像Ｎデータを作成する旧顔画像加齢処理を実行する（ステップＳ５０１；図１７参照）。
以下に、図１８を参照して旧顔画像加齢処理について詳細に説明する。
【０１２９】
図１８に示すように、ＣＰＵ８１は、記憶部８３から旧顔画像年齢取得プログラムを読み出してＲＡＭ８２に展開し、この旧顔画像年齢取得プログラムに従って、ＲＡＭ８２の所定領域に記憶された旧顔画像データ及びＩＤ情報を読み出し（ステップＳ５１１）、申請人の生年月日と前回の更新申請年月日に基づいてＩＤカードの前回更新時の申請人の年齢を算出する（ステップＳ５１２）。
次に、ＣＰＵ８１は、算出された前回更新時の申請人の年齢に対応する平均顔データを平均顔ＤＢから取得する（ステップＳ５１３）。続けて、ＣＰＵ８１は、取得した平均顔データとＲＡＭ８２から読み出された申請人の旧顔画像データとに基づいて、申請人の旧顔画像の特徴が誇張された誇張顔データを作成する（ステップＳ５１４）。
【０１３０】
その後、ＣＰＵ８１は、サーバコントローラ４を介して本社ホスト１のＤＢ１０から取得した申請人のＩＤカードの更新期間Ｎが規定された更新期間情報に基づいて、前回更新時から更新期間Ｎ経過後の申請人の年齢に対応するＮ年後の平均顔データを平均顔ＤＢから取得する（ステップＳ５１５）。次に、ＣＰＵ８１は、取得したＮ年後の平均顔データと申請人の誇張顔データとに基づいて、申請人の前回更新時から更新期間であるＮ年後の旧顔画像Ｎに係る旧顔画像Ｎデータを作成する（ステップＳ５１６）。
そして、ＣＰＵ８１は、作成された旧顔画像ＮデータをＩＤ番号に対応付けてＲＡＭ８２の所定の領域に記憶させて、旧顔画像加齢処理を終了する（ステップＳ５１７）。
【０１３１】
そして、顔画像サーバ８のＣＰＵ８１は、ＩＤカード作成処理のステップＳ２３１にて撮影装置７から送信されたＩＤ番号を受信すると、受信したＩＤ番号に対応する旧顔画像ＮデータをＲＡＭ８２から検索して、その結果取得した旧顔画像ＮデータをＩＤ番号と対応付けて撮影装置７に送信する（ステップＳ５０２）。
【０１３２】
撮影装置７では、顔画像サーバ８から送信されたＩＤ番号及び旧顔画像Ｎデータを受信すると、ＣＰＵ７１は、受信した旧顔画像ＮデータをＩＤ番号と対応付けてＩＤ情報管理ＤＢに格納させるとともに、旧顔画像Ｎデータに係る表示情報を生成して表示部７５に対して出力する（ステップＳ５０３）。
その後、ＣＰＵ７１は、所定の判断プログラムに従って、申請人の本人確認用としての旧顔画像Ｎデータが存在しているか否かを判断する（ステップＳ５０４）。ここで、旧顔画像Ｎデータが存在していると判断した場合には（ステップＳ５０４；ＹＥＳ）、ＣＰＵ７１は、記憶部７３から読み出された本人確認プログラムに従って、ＩＤ情報管理ＤＢに格納された旧顔画像Ｎデータと撮影装置７にて撮影された新顔画像に係る新顔画像データとを照合して申請人の本人確認を行うようになっている（ステップＳ５０５）。
【０１３３】
なお、顔画像サーバ８では、ステップＳ５１５にて、ＣＰＵ８１は、Ｎ年後の平均顔データに加えて更新期間Ｎ±ｍ年経過後の平均顔データを平均顔ＤＢから取得しても良く、この場合、ステップＳ５１６にて取得した更新期間Ｎ±ｍ年経過後の複数の平均顔データに基づいて、申請人の前回更新時から更新期間Ｎ±ｍ年経過後の旧顔画像Ｎ±ｍデータを作成する。その後、ＣＰＵ８１は、ステップＳ５１７にて、作成された旧顔画像Ｎデータ並びに旧顔画像Ｎ±ｍデータをＲＡＭ８２に記憶させた後、ステップＳ５０２にて、旧顔画像Ｎデータ並びに旧顔画像Ｎ±ｍデータを撮影装置７に対して送信するようになっている。
また、撮影装置７では、ステップＳ５０３にて、ＣＰＵ７１は、受信した旧顔画像Ｎデータ並びに旧顔画像Ｎ±ｍデータをＩＤ番号と対応付けてＩＤ情報管理ＤＢに格納させ、ステップＳ５０４にて旧顔画像Ｎデータが存在していると判断した場合には（ステップＳ５０４；ＹＥＳ）、ステップＳ５０５にて、ＩＤ情報管理ＤＢに格納された旧顔画像Ｎデータ並びに旧顔画像Ｎ±ｍデータと新顔画像データとを照合して申請人の本人確認を行うようになっている。
この場合、旧顔画像Ｎデータ並びに旧顔画像Ｎ±ｍデータのうちで、新顔画像データに対する最も高い一致度を採用して、本人確認を行うようにしても良い。
【０１３４】
以上のように、第二の実施の形態のＩＤカード作成システムによれば、旧顔画像に係るＩＤカードの前回更新時の申請人の年齢を算出して、算出された年齢から更新期間Ｎにほぼ相当するＮ年加齢させて前回更新時からＮ年後の旧顔画像Ｎデータを作成するので、この旧顔画像Ｎデータを顔画像の照合に用いることにより申請人の本人確認の精度を向上させることができる。
また、顔画像の照合に、旧顔画像Ｎデータに加えて旧顔画像Ｎ±ｍデータを用いた場合には、申請人の本人確認用の顔画像を複数用意することができるので、申請人の本人確認を精度良く、且つ、効率的に行うことができる。
【０１３５】
なお、上記第二の実施の形態では、顔画像の照合に、旧顔画像加齢処理（ステップＳ５０１）の実行により作成された旧顔画像Ｎデータ並びに旧顔画像Ｎ±ｍデータを用いるような構成としたが、これに限られるものではなく、旧顔画像Ｎデータ並びに旧顔画像Ｎ±ｍデータに加えて、旧顔画像取得処理にて取得された旧顔画像データ、即ち、旧顔画像加齢処理を施していない顔画像データを用いても良い。この場合、旧顔画像データ、旧顔画像Ｎデータ並びに旧顔画像Ｎ±ｍデータのうちで、新顔画像データに対して最も高い一致度を有する顔画像データを本人確認用の顔画像データとして採用しても良く、これにより、申請人の本人確認の精度をさらに向上させることができる。
【０１３６】
なお、上記第二の実施の形態では、旧顔画像取得処理にて取得されＲＡＭ８２に記憶された後、ＲＡＭ８２から読み出された旧顔画像データに対して旧顔画像加齢処理を行うようにしたが、これに限られるものではなく、ＩＤカード作成処理のステップＳ４０３にて撮影装置７から送信された旧顔画像データが撮影装置７に送信される前であれば旧顔画像加齢処理は如何なるタイミングで行っても良い。例えば、旧顔画像取得処理において顔画像サーバ８のＲＡＭ８２に記憶される前に旧顔画像データに対して旧顔画像加齢処理を行っても良い。
また、旧顔画像加齢処理を顔画像サーバ８にて行う構成としたが、これに限られるものではなく、ファイルサーバ３から取得した旧顔画像データに基づいてサーバコントローラ４にて行っても良いし、ファールサーバ３にて、サーバコントローラ４により取得される前における旧顔画像データに基づいて行っても良い。
【０１３７】
また、旧顔画像加齢処理に係るＩＤカードの更新時の申請人の年齢の算出において、本社ホスト１のＤＢ１０からの更新期間情報の取得及びファイルサーバ３からのＩＤ情報の取得を行うような構成としたが、これに限られるものではない。即ち、例えば、申請人の生年月日と前回の更新申請年月日と、今回の更新申請年月日から申請人の現在の年齢を求めるような構成としても良く、この場合には、本社ホスト１のＤＢ１０からの更新期間情報の取得を行う必要がなくなる。さらに、ＩＤ情報の取得を、ファイルサーバ３の替わりにＡ支社ホスト２ａのＤＢ２０ａから行うような構成としても良い。
【０１３８】
なお、本発明は、上記実施の形態に限定されることなく、本発明の趣旨を逸脱しない範囲において、種々の改良並びに設計の変更を行っても良い。
例えば、顔画像サーバ８は、受付装置５にＩＤ番号が入力されることに基づいて、ファイルサーバ３から旧顔画像データを取得するようにしたが、これに限られるものではなく、顔画像サーバ８による旧顔画像データの取得は、撮影装置７による申請人の顔画像の撮影よりも前であれば如何なるタイミングで行われても良い。例えば、登録装置６にてＩＤ番号が入力されることに基づいて、ファイルサーバ３からの旧顔画像データの取得が行われても良い。
【０１３９】
また、上記実施の形態では、複数のファイルサーバ３を管理及び制御するサーバコントローラ４を備える構成としたが、これに限られるものではなく、サーバコントローラ４を備えるか否かは適宜任意に変更可能となっている。
即ち、受付装置５は、サーバコントーラ４を介さずに、直接ファイルサーバ３にアクセスして旧顔画像データを取得しても良い。具体的には、受付装置５のＣＰＵ５１は、サーバ選択手段として、記憶部５３からサーバ選択プログラムを読み出して実行し、複数のファイルサーバ３の中から、顔画像サーバ８により旧顔画像データが取得されるファイルサーバ３を選択するような構成であっても良い。これにより、サーバコントローラ４の機能が停止した状態であっても、ファイルサーバ３から旧顔画像データの取得を行うことができる。
【０１４０】
さらに、上記実施の形態では、顔画像記憶手段としての顔画像サーバ８を撮影装置７と別装置で設けるような構成としたが、これに限られるものではなく、例えば、顔画像記憶手段を撮影装置７に設けて、この撮影装置７により、カメラ７８による申請人の新顔画像の撮影の前に、申請人の旧顔画像データのファイルサーバ３からの取得・記憶が行われても良い。
【０１４１】
加えて、上記実施の形態にあっては、顔画像どうしの照合における旧顔画像データと新顔画像データの比較判定の精度を、旧顔画像データの取得に関連した情報と新顔画像の撮影に関連する情報とに基づいて変更するようにしても良い。即ち、旧顔画像の取得条件や新顔画像の撮影条件等によって、顔画像の画質や明度等が異なるため、顔画像の比較判定精度に誤差が生じることとなる。そこで、旧顔画像の取得に関連した情報として、例えば旧顔画像を撮影装置７にて撮影した場合における当該撮影装置７の機種や号機等に関する旧装置情報や、旧顔画像をスキャナ等の読取装置にて読み取ることにより取得したことを示す情報を旧画像データに対応付けて記憶しておく。そして、新顔画像の撮影の際に、当該新顔画像の撮影に関連する情報として、撮影装置７の機種や号機等に関する新装置情報を取得して、例えば、新装置情報と旧装置情報とが等しい場合、即ち、撮影装置７の機種どうしが等しい場合や号機どうしが等しい場合には、顔画像どうしの照合の判定を厳しくするようにしても良い。また、旧顔画像データが読取装置にて読み取られることで取得したものである場合においては、旧顔画像の画質が悪くなりがちであることから、顔画像どうしの照合の判定を甘くしたり、オペレータにより判断させたりするようにしても良い。
【図面の簡単な説明】
【０１４２】
【図１】本発明を適用した第一の実施の形態として例示するＩＤカード作成システムの概略構成を示す図である。
【図２】図１のＩＤカード作成システムを構成する本社ホストの要部構成を示すブロック図である。
【図３】図１のＩＤカード作成システムを構成するＡ支社ホストの要部構成を示すブロック図である。
【図４】図１のＩＤカード作成システムを構成するファイルサーバの要部構成を示すブロック図である。
【図５】図１のＩＤカード作成システムを構成するサーバコントローラの要部構成を示すブロック図である。
【図６】図１のＩＤカード作成システムを構成する受付装置の要部構成を示すブロック図である。
【図７】図１のＩＤカード作成システムを構成する登録装置の要部構成を示すブロック図である。
【図８】図１のＩＤカード作成システムを構成する撮影装置の要部構成を示すブロック図である。
【図９】図１のＩＤカード作成システムを構成する顔画像サーバの要部構成を示すブロック図である。
【図１０】図１のＩＤカード作成システムによる更新受付処理に係る動作の一例を示すフローチャートである。
【図１１】図１０の更新受付処理の続きを示す図である。
【図１２】図１のＩＤカード作成システムによる旧顔画像取得処理に係る動作の一例を示すフローチャートである。
【図１３】図１のＩＤカード作成システムによるＩＤカード作成処理に係る動作の一例を示すフローチャートである。
【図１４】図１のＩＤカード作成システムによる新顔画像記憶処理に係る動作の一例を示すフローチャートである。
【図１５】図１４の新顔画像記憶処理の続きを示す図である。
【図１６】本発明を適用した第二の実施の形態として例示するＩＤカード作成システムによる旧顔画像取得処理に係る動作の一例を示すフローチャートである。
【図１７】図１６のＩＤカード作成システムによるＩＤカード作成処理に係る動作の一例を示すフローチャートである。
【図１８】図１６のＩＤカード作成システムを構成する顔画像サーバによる旧顔画像加齢処理に係る動作の一例を示すフローチャートである。
【符号の説明】
【０１４３】
１００  ＩＤカード作成システム
１      本社ホスト（ホスト装置）
１１    ＣＰＵ（識別情報取得手段、カード作成判断手段、指示情報出力手段）
２ａ    Ａ支社ホスト（ホスト装置）
３      ファイルサーバ
４      サーバコントローラ
４１    ＣＰＵ（サーバ選択手段、顔画像取得手段、記憶制御手段）
５      受付装置
５４    入力部（識別情報入力手段）
７      撮影装置
７１    ＣＰＵ（確認用顔画像取得手段、本人確認手段）
７８    カメラ（顔画像撮影手段）
８      顔画像サーバ（顔画像記憶手段）
【図１】
2005153491.tif 000003
【図２】
2005153491.tif 000004
【図３】
2005153491.tif 000005
【図４】
2005153491.tif 000006
【図５】
2005153491.tif 000007
【図６】
2005153491.tif 000008
【図７】
2005153491.tif 000009
【図８】
2005153491.tif 000010
【図９】
2005153491.tif 000011
【図１０】
2005153491.tif 000012
【図１１】
2005153491.tif 000013
【図１２】
2005153491.tif 000014
【図１３】
2005153491.tif 000015
【図１４】
2005153491.tif 000016
【図１５】
2005153491.tif 000017
【図１６】
2005153491.tif 000018
【図１７】
2005153491.tif 000019
【図１８】
2005153491.tif 000020